(57)【要約】【課題】  多数個の矩形ブロックを使用して構築する花壇において、従来では、各ブロックの左右側面間及び上下面間にそれぞれ接着用モルタルを介在させて各ブロックを結着させていたので、花壇構築作業に熟練を要し且つ長時間を要していた。【解決手段】  長手方向両端面１１にそれぞれ本体ブロック中心側に向けて所定深さを有し且つ入口側が狭く奥側が広い形状の縦向きの端部凹溝１２Ａを形成した本体ブロック１Ａと、該本体ブロック１Ａの各端部凹溝１２Ａに対して上下方向から過不足なしに嵌入できる嵌合部２１を有したジョイントブロック２からなる花壇用ブロックセットを使用することで、接着用モルタルを使用することなく左右及び上下の各本体ブロックをそれぞれ強固に連結した花壇を構築できるようにした。【選択図】      図１
2008048693.tif 000002
【特許請求の範囲】
【請求項１】
平面視長方形で所定高さを有する本体ブロックと各本体ブロックを連結するためのジョイントブロックからなる花壇用ブロックセットであって、
本体ブロックには、その長手方向両端面に、それぞれ本体ブロック中心側に向けて所定深さを有し且つ入口側が狭く奥側が広い形状の縦向きの端部凹溝を本体ブロックの全高に亘って形成しており、
ジョイントブロックは、本体ブロックの全高とほぼ同じ高さかそれよりやや低い程度の高さを有しているとともに平面視で前記端部凹溝の奥行き深さの２倍長さを有し且つ平面視において中心を挟んだ両側にそれぞれ前記各端部凹溝と同形同大きさで該端部凹溝に対して上下方向から過不足なしに嵌入できる嵌合部を有している、
ことを特徴とする花壇用ブロックセット。
【請求項２】
本体ブロックにおける平面視中央部に、ジョイントブロックの平面視形状と同形同大きさで該ジョイントブロックを上下方向から過不足なく嵌入できる縦向きの中央穴を本体ブロックの全高に亘って形成している、
ことを特徴とする上記請求項１記載の花壇用ブロックセット。
【請求項３】
上記請求項１記載のブロックセットにおける本体ブロックとジョイントブロックをそれぞれ所定個数使用して行う花壇構築工法であって、
地面上に必要個数の本体ブロックをその長手方向の端面同士が接合する状態で配置して、各本体ブロックの各接続部に両本体ブロックの各端部凹溝からなる合体穴を形成しておき、
その各合体穴内に、それぞれ上方からジョイントブロックの下半部を嵌入させることで１段目ブロック群を連結し、
該１段目ブロック群の上面から上方に突出している各ジョイントブロックの上半部に、隣接する２つのジョイントブロックの対向する各嵌合部に対して、それぞれ２段目の本体ブロックの各端部凹溝を上方から嵌合させて２段目ブロック群を積み上げ、
該２段目ブロック群の各合体穴内に次のジョイントブロックの下半部を嵌入させ、順次同様に必要段数までブロック群を無接着状態で積み上げるようにする、
ことを特徴とする花壇構築工法。
【請求項４】
上記請求項２記載のブロックセットにおける本体ブロックとジョイントブロックをそれぞれ所定個数使用して行う花壇構築工法であって、
地面上に必要個数の本体ブロックをその長手方向の端面同士が接合する状態で配置して、各本体ブロックの各接続部に両本体ブロックの各端部凹溝からなる合体穴を形成しておき、
その各合体穴内にそれぞれ上方からジョイントブロックの下半部を嵌入させることで１段目ブロック群を連結するとともに、各各本体ブロックの中央穴内にそれぞれ上方からジョイントブロックの下半部を嵌入させ、
該１段目ブロック群の上面から上方に突出している各ジョイントブロックの上半部に、２段目の各本体ブロックを１段目ブロック群の各本体ブロックに対して本体ブロック長手方向の１／２長さだけずらせた位置において、各本体ブロックの端部凹溝及び中央穴を嵌合させて２段目ブロック群を積み上げ、
該２段目ブロック群の各合体穴内及び各中央穴に次のジョイントブロックの下半部を嵌入させ、順次同様に必要段数までブロック群を無接着状態で積み上げるようにする、
ことを特徴とする花壇構築工法。
【請求項５】
上記請求項３の花壇構築工法で構築された花壇であって、
上下に位置する各本体ブロックを左右方向の同位置に整列した状態で組付けているとともに、
左右及び上下に隣接する４つの本体ブロックの交点部のそれぞれに、該４つの本体ブロックの各端部凹溝に跨がって１つのジョイントブロックを介在させている、
ことを特徴とする花壇。
【請求項６】
上記請求項４の花壇構築工法で構築された花壇であって、
上下に隣接する各本体ブロックを本体ブロック長手方向に１／２長さだけ位置ずれした状態で組付けているとともに、
左右及び上下に隣接する３つの本体ブロックの交点部のそれぞれに、左右に隣接する２つの端部凹溝と上又は下に隣接する１つの中央穴とに跨がって１つのジョイントブロックを介在させている、
ことを特徴とする花壇。
【発明の詳細な説明】
【技術分野】
【０００１】
本願発明は、花壇を構築するための花壇用ブロックセット、及びその花壇用ブロックセットを使用した花壇構築工法、並びにその花壇構築工法で構築された花壇に関するものである。
【背景技術】
【０００２】
従来から、レンガブロックやコンクリートブロック等の矩形ブロックを左右・上下に多数個組付けて花壇を構築したものが見受けられるが、この種のブロック組付けによる花壇は、一般に次のようにして構築される。
【０００３】
まず、地面上に多数個のブロックを所定形状（例えば四角形やコ字形）に並べて１段目ブロック群を設置し、続いて１段目ブロック群の上に２段目の各ブロックを積み重ね、順次同様に必要段数のブロックを積み上げて、所定段数の花壇を構築する。
【０００４】
ところで、従来では、この種の花壇を構築するのに、左右及び上下に隣接するブロックの端面同士をモルタルで接着している。又、従来では、各ブロックの連結を強固にするために、ブロックに形成している側面凹溝（左右に接合時に合体穴になる）や上下貫通穴にモルタルを充填して、各ブロックを左右及び上下に連結することもあった。
【発明の開示】
【発明が解決しようとする課題】
【０００５】
ところで、矩形ブロックを使用して花壇を構築するには、各ブロックを左右及び上下に連結することが必要であるが、従来では、花壇を構築する際に、左右及び上下に隣接する各ブロックの接合面間にそれぞれ接着用モルタルを介在させながら、各ブロックを順次１個ずつ積み上げていた。
【０００６】
このように、各ブロックをモルタルで接着した従来の花壇では、次のような各種の問題があった。
(1) ブロック接着用のモルタルが必要であるとともに、モルタル均しコテを用意する必要がある。
(2) モルタルによるブロック接着作業には、レベル出しを含めて比較的高度な技術が必要であり、一般の素人には不向きな作業である。
(3) ブロックを１個ずつモルタルで接着させるので、花壇構築完了までにかなりの時間がかかる。
(4) 各ブロックの接合面をモルタルで接着させただけのものでは、経年変化により左右及び上下に隣接するブロック同士の結合強度が弱くなり、花壇内の土圧でブロックが位置ずれするおそれがあった。
(5) ブロック同士をモルタルで固着してしまうと、花壇を容易に解体できなくなり、花壇が不要になったとき（あるいは設置場所を変更するとき）には、元の花壇を壊すのに多大の労力と時間が必要となる。
(6) 壊した花壇のブロックは廃材となり、その廃材の始末に困る。
【０００７】
そこで、本願発明は、ブロックを単に（無接着状態で）組付けるだけで、簡単に且つ高強度の花壇を構築できるとともに、花壇の解体が容易であり、しかも解体した各ブロックを再利用できるようにすることを目的としてなされたものである。
【課題を解決するための手段】
【０００８】
本願発明は、上記課題を解決するための手段として次の構成を有している。尚、本願発明は、花壇を構築するための花壇用ブロックセットと、その花壇用ブロックセットを使用した花壇構築工法と、その花壇構築工法で構築された花壇とを対象としている。
【０００９】
本願請求項１の発明
本願請求項１の発明は、平面視長方形で所定高さを有する本体ブロックと、該各本体ブロックを連結するためのジョイントブロックからなる花壇用ブロックセットを対象にしている。
【００１０】
本体ブロック及びジョイントブロックとしては、例えばレンガブロックやコンクリートブロックが採用できる。
【００１１】
本体ブロックの大きさは、特に限定するものではないが、例えば平面視で２５０mm×１２５mm程度の長方形で、高さが１００mm程度のものが使用できる。尚、この大きさは、特に限定するものではなく、適宜に設計変更可能である。
【００１２】
この本体ブロックには、その長手方向両端面に、それぞれ本体ブロック中心側に向けて所定深さを有し且つ入口側が狭く奥側が広い形状の縦向きの端部凹溝を本体ブロックの全高に亘って形成している。尚、この各端部凹溝は、本体ブロックの長手方向両端面におけるブロック厚さ方向の中央部に形成している。
【００１３】
各端部凹溝の大きさ及び形状は、特に限定するものではないが、上記大きさの本体ブロックであれば、平面視において奥行き深さが３８mm、入口部の幅が３５mm、奥端部の幅が４６mm程度の大きさで、該端部凹溝の左右側面が奥側に広がるテーパー状にしたものが使用できる。尚、この端部凹溝の形状は、該端部凹溝内にジョイントブロックの嵌合部を嵌入させた状態で、該ジョイントブロックの嵌合部が端部凹溝の入口部から抜け出さない構造のものであればよい。
【００１４】
ジョイントブロックは、本体ブロックの全高（例えば１００mm）とほぼ同じ高さかそれよりやや低い程度の高さを有し、且つ平面視で本体ブロックの端部凹溝の奥行き深さの２倍長さ（例えば７６mm）を有している。又、このジョイントブロックには、平面視において中心を挟んだ両側に、それぞれ本体ブロックの端部凹溝と同形同大きさで該端部凹溝に対して上下方向から過不足なしに嵌入できる嵌合部を有している。尚、このジョイントブロックの各嵌合部は、それぞれ本体ブロックの各端部凹溝に上下方向から嵌入し得るもので、該嵌合部の実際寸法は、平面視において端部凹溝の大きさよりごく僅かに小さく形成される。
【００１５】
この請求項１の花壇用ブロックセットでは、２つの本体ブロックを長手方向に接合させたときに、各本体ブロックの接合部に２つの端部凹溝で合成された合体穴が形成される。そして、この合体穴内にジョイントブロックを上方から嵌入させることによって、該ジョイントブロックの各嵌合部がそれぞれ合体穴の各端部凹溝内に嵌合して、両本体ブロックを１つのジョイントブロックで連結し得るようになっている。
【００１６】
ところで、この請求項１の花壇用ブロックセットは、後述する本願請求項３の花壇構築工法で使用され、且つ後述する本願請求項５の花壇を構築するものであるが、後述の請求項３の花壇構築工法では１つのジョイントブロックで左右及び上下に隣接する４つの本体ブロックの各端部凹溝に跨がって嵌合させるようにしている。その際、１つのジョイントブロックが上下に隣接する２つの本体ブロックに跨がって介在される関係で、ジョイントブロックを合体穴内に嵌合させたときに、下側本体ブロックに対してはジョイントブロックの下半部を嵌合させる一方、上側本体ブロックに対しては当該ジョイントブロックの上半部を嵌合させるようになっている。そして、下側本体ブロックの合体穴にジョイントブロックの下半部（１／２高さ）だけ嵌入させる手段として、本体ブロックの各端部凹溝内の上下中間高さ位置に内向き棚部を形成しておくことができる。又、この内向き棚部のない本体ブロックでは、例えば正規のジョイントブロックの１／２高さの低ジョイントブロックを用いて、両本体ブロック間の合体穴内にまず低ジョイントブロック（正規の１／２高さ）を落とし込んだ後に、正規のジョイントブロックを嵌入させば、該ジョイントブロックの下半部のみが下側本体ブロックの合体穴内に嵌入される。
【００１７】
又、本体ブロックとジョイントブロックとを上下に１／２高さだけ嵌合させる他の手段として、各端部凹溝内の下半部空所を上半部空所より若干狭くする一方、ジョイントブロックの上半部の各嵌合部を端部凹溝の下半部空所（小形凹溝部）に見合う大きさ（ジョイントブロック嵌合部の下半部の大きさより若干小さい）に設定することができる。この場合、ジョイントブロック嵌合部の下半部（大形嵌合部）を端部凹溝の上方から嵌入させると、該ジョイントブロック嵌合部（大形嵌合部）の底面が端部凹溝の段部上面に着座し、下側本体ブロックに対してジョイントブロックの下半部（１／２高さ）だけが嵌合するようになる。尚、このとき下側本体ブロックの上面からジョイントブロックの上半部が突出しているが、このジョイントブロック突出部分（上半部）は小形嵌合部となっており、該ジョイントブロックの小形嵌合部（上半部）に上側本体ブロックの端部凹溝の下半部空所（小形凹溝部）が嵌合される。
【００１８】
尚、この請求項１の花壇用ブロックセットを使用した花壇構築工法（請求項３）及び該花壇構築工法で構築された花壇（請求項５）については、それぞれの請求項部分で説明する。
【００１９】
本願請求項２の発明
本願請求項２の発明も、上記請求項１と同様に本体ブロックとジョイントブロックからなる花壇用ブロックセットを対象にしている。
【００２０】
そして、この請求項２の発明は、上記請求項１の花壇用ブロックセットにおいて、本体ブロックにおける平面視中央部に、ジョイントブロックの平面視形状と同形同大きさで該ジョイントブロックを上下方向から過不足なく嵌入できる縦向きの中央穴を本体ブロックの全高に亘って形成したものである。
【００２１】
この請求項２の花壇用ブロックセットでも、２つの本体ブロックを長手方向に接合させたときに、各本体ブロックの接合部に両端部凹溝が合成された合体穴が形成されるが、この合体穴は本体ブロックの中央穴と同形同大きさである。そして、この請求項２の花壇用ブロックセットでは、２つの本体ブロックを接合させた状態で、その合体穴及び中央穴にそれぞれジョイントブロックを上方から嵌入させ得るようになっている。
【００２２】
尚、この請求項２の花壇用ブロックセットは、後述する本願請求項４の花壇構築工法で使用され、且つ後述する本願請求項６の花壇を構築するものであるが、その構築方法及び花壇の構成については、それぞれ請求項部分で説明する。
【００２３】
本願請求項３の発明
本願請求項３の発明は、上記請求項１のブロックセットにおける本体ブロックとジョイントブロックをそれぞれ所定個数使用して行う花壇構築工法を対象にしている。
【００２４】
そして、この請求項３の発明の花壇構築工法は、次のように行う。
【００２５】
まず、地面上に必要個数の本体ブロックをその長手方向の端面同士が接合する状態で配置して、各本体ブロックの各接続部に両本体ブロックの各端部凹溝からなる合体穴を形成しておく。尚、この合体穴は、ジョイントブロックを過不足なし（ガタツキなし）に嵌入させ得るものである。
【００２６】
次に、各本体ブロックの各接続部にある各合体穴内に、それぞれ上方からジョイントブロックの下半部（全高の１／２）を嵌入させることで１段目ブロック群を連結する。尚、各合体穴内にジョイントブロックの下半部だけを嵌入させるには、例えば上記請求項１の項で説明したように、端部凹溝内の中間高さ位置に小厚さの内向き棚部（又は上半部が大形空所で下半部が小形空所の段部）を設けたものでは、ジョイントブロックの下面が該内向き棚部（又は段部）上に着座した時点で嵌入深さが規制される。又、端部凹溝内に内向き棚部のないものでは、合体穴の下半部に１／２高さの低ジョイントブロックを落とし込んだ後に正規のジョイントブロックを嵌入させるとよい。
【００２７】
次に、１段目ブロック群を連結した後、該１段目ブロック群の上面から上方に突出している各ジョイントブロックの上半部に、隣接する２つのジョイントブロックの対向する各嵌合部に対して、それぞれ２段目の本体ブロックの各端部凹溝を上方から嵌合させて２段目ブロック群を積み上げる。このとき、２段目の各本体ブロックで合成された各合体穴の上半部は、空洞となっている。
【００２８】
そして、該２段目ブロック群の各合体穴内に次のジョイントブロックの下半部を嵌入させ、順次同様に必要段数までブロック群を無接着状態で積み上げることによって、所定段数のブロック群を積み重ねた花壇が構築される。
【００２９】
この請求項３の花壇構築工法では、上下に位置する各本体ブロックが左右方向の同位置に整列状態で組付けられており、後述する請求項５の花壇を構成している。
【００３０】
本願請求項４の発明
本願請求項４の発明は、上記請求項２のブロックセットにおける本体ブロック（中央穴つきのもの）とジョイントブロックをそれぞれ所定個数使用して行う花壇構築工法を対象にしている。
【００３１】
そして、この請求項４の発明の花壇構築工法は、次のように行う。
【００３２】
まず、地面上に必要個数の本体ブロックをその長手方向の端面同士が接合する状態で配置して、各本体ブロックの各接続部に両本体ブロックの各端部凹溝からなる合体穴を形成しておく。尚、この合体穴は、各本体ブロックの中央穴と同形同大きさであり、該合体穴及び中央穴は、それぞれジョイントブロックを過不足なし（ガタツキなし）に嵌入させ得るものである。
【００３３】
次に、各本体ブロックの各接続部にある各合体穴内にそれぞれ上方からジョイントブロックの下半部を嵌入させることで１段目ブロック群を連結するとともに、各本体ブロックの中央穴にそれぞれ上方からジョイントブロックの下半部を嵌入させる。尚、各ジョイントブロックを下半部だけ嵌入させるための構造は、上記請求項３に記載したものを採用できる。
【００３４】
次に、１段目ブロック群を連結した後、該１段目ブロック群の上面から上方に突出している各ジョイントブロックの上半部に、２段目の各本体ブロックを１段目ブロック群の各本体ブロックに対して本体ブロック長手方向の１／２長さだけずらせた位置において各本体ブロックの端部凹溝及び中央穴を嵌合させて２段目ブロック群を積み上げる。このとき、２段目ブロック群の各本体ブロックの各接続部には、それぞれ２つの端部凹溝からなる合体穴が合成されている。又、２段目ブロック群の各合体穴及び各中央穴は、それぞれ上半部が空洞となっている。
【００３５】
そして、該２段目ブロック群の各合体穴内及び各中央穴に次のジョイントブロックの下半部を嵌入させ、順次同様に必要段数までブロック群を無接着状態で積み上げることによって、所定段数のブロック群を積み重ねた花壇が構築される。
【００３６】
この請求項４の花壇構築工法では、上下に隣接する各本体ブロックが本体ブロック長手方向に１／２長さだけ位置ずれした状態（いわゆる千鳥積み状態）で組付けられており、後述する請求項６の花壇を構成している。
【００３７】
本願請求項５の発明
本願請求項５の発明は、上記請求項３の花壇構築工法で構築された花壇を対象にしている。
【００３８】
この請求項５の花壇では、上下に位置する各本体ブロックを左右方向の同位置に整列状態で組付けているとともに、左右及び上下に隣接する４つの本体ブロックの交点部のそれぞれに、該４つの本体ブロックの各端部凹溝に跨がって１つのジョイントブロックを介在させている。
【００３９】
本願請求項６の発明
本願請求項６の発明は、上記請求項４の花壇構築工法で構築された花壇を対象にしている。
【００４０】
この請求項６の花壇では、上下に隣接する各本体ブロックを本体ブロック長手方向に１／２長さだけ位置ずれした状態で組付けているとともに、左右及び上下に隣接する３つの本体ブロックの交点部のそれぞれに、左右に隣接する２つの端部凹溝と上又は下に隣接する１つの中央穴とに跨がって１つのジョイントブロックを介在させている。
【発明の効果】
【００４１】
請求項１の発明の効果
本願請求項１の発明の花壇用ブロックセットでは、２つの本体ブロックを長手方向に接合させたときに各側の端部凹溝で合体穴が合成され、その合体穴内にジョイントブロックを嵌入させることで左右の本体ブロックをジョイントブロックで離脱不能に連結できる。又、この花壇用ブロックセットは、１つのジョイントブロックを、左右及び上下に隣接する４つの本体ブロックにおける各端部凹溝に跨がって嵌合させることができる。
【００４２】
従って、この請求項１の花壇用ブロックセットを使用すると、接着用モルタルを使用することなく各本体ブロックを左右及び上下に無接着状態で連結することができ、花壇の構築作業を一般人（非熟練者）でも簡単に且つ短時間で行える。又、ジョイントブロックによる各本体ブロックの結合強度は長期間経過しても不変であり、経年変化によるブロックの位置ずれは起こらない。さらに、本体ブロックとジョイントブロックとは、単に上下方向からの嵌合だけで連結されるので、構築した花壇が不要になったときには各ブロックを容易に分解できるとともに、分解した本体ブロック及びジョイントブロックを次の花壇構築用として再利用できる、等の効果がある。
【００４３】
本願請求項２の発明の効果
本願請求項２の発明は、上記請求項１の花壇用ブロックセットにおいて、本体ブロックのおける平面視中央部にジョイントブロックと同形状の中央穴を形成しているので、上下に位置する本体ブロックを千鳥積み状態でもジョイントブロックで連結できる。
【００４４】
従って、この請求項２の花壇用ブロックセットでは、上記請求項１の効果に加えて、本体ブロックを千鳥積み状態で組付けることにより、各本体ブロックの結合強度を一層強固にできるという効果がある。
【００４５】
本願請求項３の発明の効果
本願請求項３の発明の花壇構築工法では、請求項１のブロックセットにおける本体ブロックとジョイントブロックをそれぞれ所定個数使用し、左右及び上下に隣接する各本体ブロックをそれぞれジョイントブロックによる嵌合のみで（無接着状態で）結合させるように行う。
【００４６】
従って、この請求項３の花壇構築工法では、各本体ブロックを簡単に且つ短時間で組付けることができるという効果がある。
【００４７】
本願請求項４の発明の効果
本願請求項４の発明の花壇構築工法では、請求項２のブロックセットにおける本体ブロックとジョイントブロックをそれぞれ所定個数使用し、左右及び上下に隣接する各本体ブロック間にそれぞれジョイントブロックを介して千鳥積み状態で積み上げるようにしている。
【００４８】
従って、この請求項４の花壇構築工法では、各本体ブロックを簡単に且つ短時間で千鳥積みすることができるという効果がある。
【００４９】
本願請求項５の発明の効果
本願請求項５の発明の花壇は、上記請求項３の花壇構築工法により上下整列状態で構築されたものであるが、この請求項５の花壇では、左右及び上下に隣接する４つの本体ブロックの交点部のそれぞれに、４つの本体ブロックの各端部凹溝に跨がって１つのジョイントブロックを介在させている。
【００５０】
従って、この請求項５の花壇では、接着用モルタルを使用しない無接着状態で構築した花壇であっても高強度を有している。又、各本体ブロックは、ジョイントブロックによる嵌合のみで連結されているので、花壇が不要になったときに、比較的簡単に各パーツに分解できる（花壇の解体が簡単となる）とともに、分解した各パーツ（本体ブロック及びジョイントブロック）をそのまま再利用できる、という効果がある。
【００５１】
本願請求項６の発明の効果
本願請求項６の発明の花壇は、上記請求項４の花壇構築工法により千鳥積み状態で構築されたものであるが、この請求項６の花壇では、千鳥積みの各交点部のそれぞれに、左右に隣接する２つの端部凹溝と上又は下に隣接する１つの中央穴とに跨がって１つのジョイントブロックを介在させている。
【００５２】
従って、この請求項６の花壇では、請求項５と同様に無接着状態で構築した花壇であっても高強度を有しているとともに、各本体ブロックを千鳥積みしていることにより結合強度が一層強固になるという効果がある。
【実施例】
【００５３】
以下、図１〜図２５を参照して本願のいくつかの実施例を説明すると、図１〜図３には本願第１実施例の花壇用ブロックセットを示し、図４〜図６にはそれぞれ第１実施例の花壇用ブロックセットと併用される別の本体ブロックを示し、図７〜図８には図１及び図４〜図６の各ブロックを使用して構築した花壇を示している。又、図９〜図１１には本願第２実施例の花壇用ブロックセットを示し、図１２〜図１４にはそれぞれ第２実施例の花壇用ブロックセットと併用される別の本体ブロックを示し、図１５〜図１７には図９及び図１２〜図１４の各ブロックを使用して構築した花壇を示し、図１８には図９及び図１２〜図１４の各ブロックを使用して構築した別の形状の花壇を示している。又、図１９には図９及び図１２〜図１４の各ブロックと、図２０〜図２１の各ブロックを使用して構築した別の形状の花壇を示している。又、図２２には本願第３実施例の花壇用ブロックセットを示し、図２３には図２２、図１２〜図１４の各ブロックを使用して構築した花壇を示している。又、図２４には本願第４実施例の花壇用ブロックセットを示し、図２５には図２４のブロックを使用して構築した花壇を示している。
【００５４】
第１実施例
図１〜図３に示す第１実施例の花壇用ブロックセットは、矩形ブロックからなる本体ブロック１Ａと、該各本体ブロック１Ａを連結するためのジョイントブロック２とで構成されている。この本体ブロック１Ａ及びジョイントブロック２としては、例えばレンガブロックやコンクリートブロックが採用できる。
【００５５】
本体ブロック１Ａは、この第１実施例では、図２に示すように平面視において長手方向の幅Ａが２５０mm、厚さＢが１２５mm程度の長方形で、高さが１００mm程度の大きさのものが採用されている。尚、この本体ブロック１Ａの大きさ・形状は、特に限定するものではなく、適宜に設計変更可能である。
【００５６】
この本体ブロック１Ａには、その長手方向両端面１１，１１におけるブロック厚さ方向の中央部に、それぞれ本体ブロックの全高に亘って縦向きの端部凹溝１２Ａ，１２Ａが形成されている。この各端部凹溝１２Ａ，１２Ａは、この第１実施例では、平面視において奥行き深さＣが３８mm、入口部１３の幅Ｄが３５mm、奥端部１４の幅Ｅが４６mm程度の大きさで、左右側面が奥側に広がるテーパー状に形成されている。尚、この端部凹溝１２Ａは、該端部凹溝１２Ａ内にジョイントブロック２の嵌合部２１を嵌入させた状態で、該ジョイントブロック２の嵌合部２１が端部凹溝１２Ａの入口部１３から抜け出さない構造のものであれば適宜の形状に形成することができる。
【００５７】
各端部凹溝１２Ａ，１２Ａ内（この実施例では奥端部１４）には、それぞれ上下中間高さ位置に横向きに突出する小厚さ（例えば１０mm厚さ）の棚部１５が形成されている。この棚部１５は、後述するように端部凹溝１２Ａ内に上方からジョイントブロック２の嵌合部（後述する）２１を嵌入させたときの、該ジョイントブロック２の位置決め用受台となるものである。
【００５８】
そして、この各端部凹溝１２Ａ，１２Ａは、２つの本体ブロック１Ａ，１Ａを長手方向に接合させると合体して、１つの合体穴１０Ａを構成するようになっている。
【００５９】
ジョイントブロック２は、この第１実施例では、本体ブロック１Ａの全高（１００mm）よりやや低い程度の高さ（９０mm弱）を有し、且つ平面視で本体ブロック１Ａの端部凹溝１２Ａの奥行き深さＣの２倍長さｆ（ｆ＝７６mm弱）を有している。又、このジョイントブロック２には、平面視において中心を挟んだ両側に、それぞれ本体ブロック１Ａの端部凹溝１２Ａと同形同大きさ（実際にはごく僅かに小形）の嵌合部２１，２１が形成されている。即ち、各嵌合部２１，２１は、図２に示すように、平面視において長さｃが３８mm弱、括れ部２２の幅ｄが３５mm弱、外端部の幅ｅが４６弱に設定されている。
【００６０】
そして、このジョイントブロック２は、２つの本体ブロック１Ａ，１Ａを接合したときに形成される合体穴１０Ａ内に上方から過不足なしに嵌入させ得る（ジョイントブロック２の下半部まで）ようになっているとともに、ジョイントブロック２の一方の嵌合部２１に対して本体ブロック１Ａの一方の端部凹溝１２Ａを上方から過不足なしに嵌合させ得る（端部凹溝１２Ａの下半部まで）ようになっている。
【００６１】
この第１実施例の花壇用ブロックセットは、例えば図７及び図８に示すような花壇を構築するのに使用されるが、図７及び図８の花壇には、図１〜図３の花壇用ブロックセットのほかに、図４〜図６に示す各本体ブロック１Ｂ〜１Ｄが使用される。
【００６２】
図４の本体ブロック１Ｂは、花壇の最上段以外のコーナー部分（本体ブロック１Ａの端面が突き合わされる部分）に使用されるもので、長手方向の一端部１１に図１の本体ブロック１Ａと同じ端部凹溝１２Ａを形成している一方、ブロック厚さ方向側の一側面の所定位置に同形同大きさの側部凹溝１２Ｂを形成している。この側部凹溝１２Ｂは、図４に鎖線図示するように、図１の本体ブロック１Ａを直角状態で接合させたときに、該本体ブロック１Ａの端部凹溝１２Ａと本体ブロック１Ｂの側部凹溝１２Ｂとが合体してジョイントブロック２と同形状の合体穴１０Ｂを形成するようになっている。尚、この側部凹溝１２Ｂの奥端部１４にも、上下中間高さ位置に横向きの棚部１５が形成されている。
【００６３】
図５の本体ブロック１Ｃは、花壇最上段の直線部分に使用されるもので、図１の本体ブロック１Ａの各端部凹溝１２Ａ，１２Ａを変形させたものである。即ち、図５の本体ブロック１Ｃでは、長手方向両端面１１，１１の端部凹溝１２Ｃ，１２Ｃとして、上半部分を閉塞させて、下半部のみを開放させたものを採用している。尚、本体ブロック１Ｃの上面は、全面に亘って平面状態に形成している。
【００６４】
図６の本体ブロック１Ｄは、花壇最上段のコーナー部分（本体ブロック１Ｃの端面が突き合わされる部分）に使用されるもので、図４の本体ブロック１Ｂの各端部凹溝１２Ａ，１２Ｂを変形させたものである。即ち、図６の本体ブロック１Ｄでは、長手方向の一端部１１に形成した端部凹溝１２Ｃとブロック厚さ方向側の一側面に形成した側部凹溝１２Ｄを、それぞれ上半部分を閉塞させて下半部のみを開放させている。尚、図６の本体ブロック１Ｃも、上面を全面に亘って平面状態に形成している。
【００６５】
図１〜図３の第１実施例の花壇用ブロックセットは、図４〜図６の各本体ブロック１Ｂ〜１Ｄを併用して、例えば図７及び図８に示す花壇を構築できるが、その花壇構築工法を以下に説明する。尚、図７及び図８の花壇では、本体ブロック（１Ａ〜１Ｄ）を上下が同位置に整列する状態で３段積みしたものである。
【００６６】
まず、地面上に１段目のブロック群３Ａを設置するが、この第１実施例の場合は、直線部分用として図１の本体ブロック１Ａ，１Ａ・・をその長手方向の端面同士が接合する状態で配置する一方、本体ブロック１Ａの端面が突き合わされる部分にコーナー用（図４）の本体ブロック１Ｂを配置して、四角形状に組付ける。
【００６７】
この状態では、直線部分の各本体ブロック１Ａ，１Ａの接合部には、各端部凹溝１２Ａ，１２Ａからなる合体穴１０Ａを形成されている一方、コーナー部分の両本体ブロック１Ａ，１Ｂの接合部には、端部凹溝１２Ａと側部凹溝１２Ｂからなる合体穴１０Ｂが形成されている。尚、各合体穴１０Ａ，１０Ｂは、それぞれジョイントブロック２（下半部）を過不足なし（ガタツキなし）に嵌入させ得るものである。
【００６８】
次に、各合体穴１０Ａ，１０Ｂ内に、それぞれ上方からジョイントブロック２の下半部（全高の１／２）を嵌入させることで、１段目の直線部用各本体ブロック１Ａ，１Ａ・・及びコーナー用本体ブロック１Ｂを連結する。尚、各ジョイントブロック２は、その下面が棚部１５，１５上に着座した時点で嵌入深さが規制され、ジョイントブロック２の上半部が１段目ブロック群３Ａの上面から上方に突出したままで維持される。
【００６９】
次に、１段目ブロック群３Ａの上面から上方に突出している各ジョイントブロック２，２・・の上半部に、隣接する２つのジョイントブロックの対向する各嵌合部（図１、図２の符号２１）に対して、それぞれ２段目の本体ブロック１Ａ（及び１Ｂ）の各端部凹溝１２Ａ，１２Ａ（コーナー用の本体ブロック１Ｂは端部凹溝１２Ａと側部凹溝１２Ｂ）を上方から嵌合させて２段目ブロック群３Ｂを積み上げる。このとき、２段目の各本体ブロック１Ａ，１Ａ・・（及び１Ｂ）で合成された各合体穴１０Ａ，１０Ａ・・（及び１０Ｂ）の上半部は、空洞となっている。
【００７０】
次に、該２段目ブロック群３Ｂの各合体穴１０Ａ，１０Ａ・・（及び１０Ｂ）内にそれぞれジョイントブロック２，２・・の下半部を嵌入させる。
【００７１】
そして、３段目の本体ブロックとして、図５及び図６のものを使用し、それらの下面側にある端部凹溝１２Ｃ，１２Ｃ（及び側部凹溝１２Ｄ）を２段目ブロックと同様にそれぞれジョイントブロック２，２・・の各嵌合部に嵌合させることによって、３段目ブロック群３Ｃを積み上げることができる。この図７及び図８に示す花壇では、上下に位置する各本体ブロック１Ａ，１Ａ（又は１Ｂ，１Ｂ）が左右方向の同位置に整列状態で組付けられている。
【００７２】
尚、各本体ブロックとして高さが１００mm程度のものを使用した場合には、花壇としては３段積み程度が機能面及び安全面で適当であるが、使用する本体ブロックの高さによっては、２段積みでも４段〜５段程度の多段積みでもよい。
【００７３】
この第１実施例の花壇構築工法では、接着用モルタルを使用することなしに、単にジョイントブロック２の嵌合部２１と本体ブロック（１Ａ〜１Ｄ）の凹溝（１２Ａ〜１２Ｄ）を嵌合させることで花壇を構築できるので、その花壇構築作業が一般人（非熟練者）でも簡単に且つ短時間で行える。
【００７４】
又、このようにして構築された花壇では、左右に隣接する２つの本体ブロック１Ａ，１Ａ（又は１Ｂ）の各端部凹溝１２Ａ，１２Ａ（又は１２Ｂ）に跨がってジョイントブロック２の各嵌合部２１，２１が嵌合しているので、左右に隣接する各本体ブロックが左右に離間することがなく、さらに上下に隣接する本体ブロック１Ａ，１Ａ（又は１Ｂ，１Ｂ）の各端部凹溝１２Ａ，１２Ａ（又は１２Ｂ，１２Ｂ）に共通のジョイントブロック２が跨がって介在しているので、上下に位置する本体ブロックが前後に位置ずれすることがない。従って、接着用モルタルをしない無接着状態でも、前後・左右からの圧力や地震等に対して高強度に維持できる。
【００７５】
又、この花壇では、単に凹凸嵌合による結合（接着用モルタルを使用していない）であるので、不要になった花壇を解体するときには、比較的簡単に各パーツに分解できるとともに、それらのパーツを再利用して新しく花壇を構築することができる。
【００７６】
第２実施例
図９〜図１１に示す第２実施例の花壇用ブロックセットは、上記第１実施例と同様に、本体ブロック１Ｅとジョイントブロック２とをセットにしたものである。尚、この第２実施例で使用するジョイントブロック２は、第１実施例のものと同じである。
【００７７】
この第２実施例の花壇用ブロックセットにおける本体ブロック１Ｅは、長手方向両端面１１，１１にそれぞれ端部凹溝１２Ａ，１２Ａ形成しているとともに、平面視の中央部にジョイントブロック２の平面視形状と同形同大きさ（実際には僅かに大形）で該ジョイントブロック２を上下方向から過不足なく嵌入できる縦向きの中央穴１６を本体ブロック１Ｅの全高に亘って形成したものである。
【００７８】
この中央穴１６は、長手方向の中間部に括れ部１７があり、該括れ部１７の両側にそれぞれ端部凹溝１２Ａ，１２Ａと同形同大きさの空所を有している。即ち、図１０に示すように、括れ部１７から中央穴１６の奥端部までの長さＣが端部凹溝１２Ａの深さ（３８mm）と同じであり、括れ部１７の幅Ｄが端部凹溝１２Ａの入口部１３の幅（３５mm）ど同じであり、中央穴１６の奥端部の幅Ｅが端部凹溝１２Ａの奥端部１４の幅（４６mm）と同じである。尚、中央穴１６の全長Ｆは７６mmでジョイントブロック２の平面視全長ｆ（７６mm弱）よりごく僅かに長い。
【００７９】
中央穴１６の各奥端部には、それぞれ上下中間高さ位置に横向きに突出する小厚さ（例えば１０mm厚さ）の棚部１５が形成されている。この各棚部１５，１５は、各端部凹溝１２Ａ，１２Ａ内に形成している棚部と同機能を有するものである。
【００８０】
この第２実施例の花壇用ブロックセットは、例えば図１５及び図１６に示すような千鳥積みによる花壇を構築するのに使用されるが、図１５及び図１６の花壇には、図９の花壇用ブロックセットのほかに、図１２〜図１４に示す各本体ブロック１Ｆ〜１Ｈが使用される。
【００８１】
図１２の本体ブロック１Ｆは、花壇の最上段以外のコーナー部分（本体ブロック１Ｅの端面が突き合わされる部分）に使用されるもので、上記図４の本体ブロック１Ｂに中央穴１６を形成したものである。即ち、図１２の本体ブロック１Ｆは、図９の本体ブロック１Ｅにおける一方の端部凹溝１２Ａに代えてブロック厚さ方向側の一側面の所定位置に同形同大きさの側部凹溝１２Ｂを形成したものである。この側部凹溝１２Ｂも、図１２に鎖線図示するように、図９の本体ブロック１Ｅを直角状態で接合させたときに、該本体ブロック１Ｅの端部凹溝１２Ａと本体ブロック１Ｆの側部凹溝１２Ｂとが合体してジョイントブロック２と同形状の合体穴１０Ｂを形成するようになっている。尚、この側部凹溝１２Ｂの奥端部１４にも、上下中間高さ位置に横向きの棚部１５が形成されている。
【００８２】
図１３の本体ブロック１Ｇは、花壇最上段の直線部分に使用されるもので、図９の本体ブロック１Ｅの各端部凹溝１２Ａ，１２Ａ及び中央穴１６を変形させたものである。即ち、図１３の本体ブロック１Ｇでは、長手方向両端面１１，１１の端部凹溝１２Ｃ，１２Ｃ及び中央穴１６として、上半部分を閉塞させて、下半部のみを開放させたものを採用している。尚、本体ブロック１Ｇの上面は、全面に亘って平面状態に形成している。
【００８３】
図１４の本体ブロック１Ｈは、花壇最上段のコーナー部分（本体ブロック１Ｅの端面が突き合わされる部分）に使用されるもので、図１２の本体ブロック１Ｆの各端部凹溝１２Ａ，１２Ｂ及び中央穴１６を変形させたものである。即ち、図１４の本体ブロック１Ｇでは、長手方向の一端部１１に形成した端部凹溝１２Ｃとブロック厚さ方向側の一側面に形成した側部凹溝１２Ｄと中央凹部１６Ａとを、それぞれ上半部分を閉塞させて下半部のみを開放させている。尚、図１４の本体ブロック１Ｇも、上面を全面に亘って平面状態に形成している。
【００８４】
図９〜図１１の第２実施例の花壇用ブロックセットは、図１２〜図１４の各本体ブロック１Ｆ〜１Ｈを併用して、例えば図１５及び図１６に示す花壇を構築できるが、その花壇構築工法を以下に説明する。尚、図１５及び図１６の花壇では、本体ブロック（１Ｅ〜１Ｈ）を千鳥積み状態で３段積みしたものである。
【００８５】
まず、地面上に１段目のブロック群３Ｄを設置するが、この第２実施例の場合は、直線部分用として図９の本体ブロック１Ｅ，１Ｅ・・をその長手方向の端面同士が接合する状態で配置する一方、本体ブロック１Ｅの端面が突き合わされる部分にコーナー用（図１２）の本体ブロック１Ｆを配置して、四角形状に組付ける（図１７の下段のブロック群３Ｄとなる）。
【００８６】
この状態（図１７の下段のブロック群３Ｄ）では、直線部分の各本体ブロック１Ｅ，１Ｅの接合部には、各端部凹溝１２Ａ，１２Ａからなる合体穴１０Ａを形成されている一方、コーナー部分の両本体ブロック１Ｅ，１Ｆの接合部には、端部凹溝１２Ａと側部凹溝１２Ｂからなる合体穴１０Ｂが形成されている。又、各本体ブロック１Ｅ，１Ｅ・・、１Ｆの中央部にはそれぞれ中央穴１６がある。尚、各合体穴１０Ａ，１０Ｂ及び中央穴１６は、それぞれジョイントブロック２（下半部）を過不足なし（ガタツキなし）に嵌入させ得るものである。
【００８７】
次に、各合体穴１０Ａ，１０Ｂ及び中央穴１６内に、それぞれ上方からジョイントブロック２の下半部（全高の１／２）を嵌入させることで、１段目の直線部用各本体ブロック１Ｅ，１Ｅ・・及びコーナー用本体ブロック１Ｆを連結する。尚、各ジョイントブロック２は、その下面が棚部１５，１５上に着座した時点で嵌入深さが規制され、ジョイントブロック２の上半部が１段目ブロック群３Ｄの上面から上方に突出したままで維持される。
【００８８】
次に、１段目ブロック群３Ｄを連結した後、１段目ブロック群３Ｄの上面から上方に突出している各ジョイントブロック２の上半部に、２段目の各本体ブロック１Ｅ，１Ｅ・・（及び１Ｆ）を、１段目ブロック群３Ｄの各本体ブロックに対して本体ブロック長手方向の１／２長さだけずらせた位置において、各本体ブロック１Ｅ，１Ｅ・・（及び１Ｆ）の端部凹溝１２Ａ及び中央穴１６を嵌合させて２段目ブロック群３Ｅを連結する（図１７の中段のブロック群３Ｅとなる）。
【００８９】
この状態では、１段目ブロック群３Ｄの各合体穴１０Ａの上に２段目ブロック群３Ｅの各中央穴１６が位置する一方、１段目ブロック群３Ｄの各央穴１６の上に２段目ブロック群３Ｅの各合体穴１０Ａが位置しており、該上下に合体穴１０Ａと中央穴１６に跨がってそれぞれ共通のジョイントブロック２が半分高さずつ嵌合している。又、２段目ブロック群３Ｅの各合体穴１０Ａ（１０Ｂ）及び各中央穴１６は、それぞれ上半部が空洞となっている。
【００９０】
次に、該２段目ブロック群３Ｅの各合体穴１０Ａ，１０Ａ・・（及び１０Ｂ）と各中央穴１６，１６・・内にそれぞれジョイントブロック２，２・・の下半部を嵌入させる。
【００９１】
そして、３段目の本体ブロックとして、図１３及び図１４のものを使用し、それらの下面側にある端部凹部１２Ｃ，１２Ｃ（及び側部凹部１２Ｄ）と中央凹部１６Ａを２段目ブロックと同様にそれぞれジョイントブロック２，２・・の各嵌合部に嵌合させることによって、所定段数（３段積み）の花壇が構築される。尚、この図１５及び図１６に示す花壇では、上下に位置する各本体ブロックが千鳥積み状態で組付けられている。
【００９２】
この第２実施例（図１５、図１６）の花壇構築工法及び花壇では、上記第１実施例（図７、図８）の各機能のほかに、各本体ブロックを千鳥積みしていることにより、各本体ブロックの連結強度が強固になるという機能を有している。
【００９３】
又、第２実施例の各本体ブロック１Ｅ〜１Ｈ（図９、図１２〜図１４の各本体ブロック）は、図１５及び図１６に示すように千鳥積みによる花壇を構築するのに適したものであるが、この各本体ブロック１Ｅ〜１Ｈを使用して、図１８に示すように上下同位置に整列させた花壇を構築することもできる。この場合、上下の本体ブロック１Ｅ，１Ｅ（又は１Ｆ，１Ｆ）の各中央穴１６，１６（又は１６，１６Ａ）に跨がってそれぞれジョイントブロック２が介在されているので、図７及び図８に示す第１実施例の花壇より上下の本体ブロックの連結強度が強固になる。
【００９４】
図１９には、上記第２実施例の各本体ブロック１Ｅ〜１Ｈ（図９、図１２〜図１４の各本体ブロック）を使用して、壁面４に沿ってコ字形に千鳥積みした花壇を示しているが、この図１９の花壇では、壁面４に当接する部分に図２０及び図２１に示す半分長さの本体ブロック１Ｉ，１Ｊが使用される。
【００９５】
図２０の半割り本体ブロック１Ｉは、１段目ブロック群又は２段目ブロック群の端部に使用するもので、図１の本体ブロック１Ａを長手方向中央部で２分割したものである。この図２０の半割り本体ブロック１Ｉには、一方の端面１１にのみ端部凹溝１２Ａ（棚部１５付き）が形成されている。
【００９６】
図２１の半割り本体ブロック１Ｊは、最上段ブロック群の端部に使用するもので、図５の本体ブロック１Ｃを長手方向中央部で２分割したものである。この図２１の半割り本体ブロック１Ｊには、一方の端面１１側の下面にのみ端部凹部１２Ｃが形成されている。
【００９７】
そして、上記図９、図１２〜図１４の各本体ブロック１Ｅ〜１Ｈと、図２０及び図２１の各半割り本体ブロック１Ｉ，１Ｊを使用することによって、図１９に示す壁面４を利用したコ字形の千鳥積み花壇を構築することができる。
【００９８】
第３実施例
図２２に示す第３実施例の花壇用ブロックセットは、本体ブロック１Ｋとして、図９の本体ブロック１Ｅから各棚部１５を除去したものを使用している。又、この第３実施例の花壇用ブロックセットでは、ジョイントブロック２を本体ブロック１Ｋの高さ（１００mm)と同じにしている。
【００９９】
この図２２の花壇用ブロックセットの場合は、各端部凹溝１２Ａ，１２Ａ及び中央穴１６に、ジョイントブロック２を下半部だけ嵌入させた状態で位置規制するものがないので、該ジョイントブロック２の１／２高さの低ジョイントブロック２Ａを使用するとよい。尚、この低ジョイントブロック２Ａは、平面視において正規のジョイントブロック２と同形同大きさのものでもよく、あるいは平面視形状がそれより小形のものでもよい。
【０１００】
又、この第３実施例の花壇用ブロックセットに併用される最上段以外のコーナー用の本体ブロック１Ｌ（図２３参照）として、図１２の本体ブロック１Ｆから各棚部１５を除去したものを使用する。尚、図２３において最上段（３段目）に使用される本体ブロック１Ｇ，１Ｈは、それぞれ図１３及び図１４のものを使用する。
【０１０１】
そして、この第３実施例の花壇用ブロックセットを使用して花壇を構築する場合は、図２３に示すように１段目の本体ブロック１Ｋ，１Ｋ・・（及び１Ｌ）を組付けた後、まず各本体ブロックの各端部凹溝１２Ａ，１２Ａ（又は端部凹溝１２Ａと側部凹溝１２Ｂ）で合成された合体穴及び各中央穴１６内に、上方からそれぞれ低ジョイントブロック２Ａを各穴の底部まで落とし込み、その上にそれぞれ通常のジョイントブロック２の下半部を嵌入させる。その後、第２実施例（図１５及び図１６）と同様に、２段目ブロック群及び３段目ブロック群を積み重ねて花壇を構築する。
【０１０２】
この第３実施例の花壇構造では、低ジョイントブロック２Ａを使用するものの、本体ブロック１Ｋとして、端部凹溝１２Ａ及び中央穴１６に棚部のないストレートな形状に成形できるので、本体ブロック１Ｋの成形が容易となる。
【０１０３】
第４実施例
図２４に示す第４実施例の花壇用ブロックセットは、本体ブロック１Ｍとして、図９の本体ブロック１Ｅの各棚部１５に代えて、各端部凹溝１２Ａ，１２Ａ及び中央穴１６のそれぞれ１／２高さを境にして下半部空所（１２ｂ，１６ｂ）を上半部空所（１２ａ，１６ａ）より若干狭くしたものを使用している。尚、各端部凹溝１２Ａ，１２Ａにおいて、各上半部空所１２ａ，１２ａの形状・大きさは上記第２実施例（図９）のものと同じであり、各下半部空所１２ｂ，１２ｂは該上半部空所１２ａより若干狭い程度の大きさである（下半部空所１２ｂの各壁面が上半部空所１２ａの各壁面よりそれぞれ３〜５mm程度内方に寄っている）。又、中央穴１６においても、その上半部空所１６ａの形状・大きさは上記第２実施例（図９）のものと同じであり、下半部空所１６ｂは該上半部空所１６ａより若干狭い程度の大きさである（下半部空所１６ｂの各壁面が上半部空所１６ａの各壁面よりそれぞれ３〜５mm程度内方に寄っている）。従って、各端部凹溝１２Ａ，１２Ａ及び中央穴１６の各１／２高さ位置には、それぞれ上向きの段部１２ｃ，１６ｃが形成されている。尚、２つの本体ブロック１Ｍ，１Ｍの端部同士を接合させた際に各端部凹溝１２Ａ，１２Ａで形成される合体穴１０Ａは、段付きの中央穴１６と同形・同大きさとなる。
【０１０４】
他方、この第４実施例（図２４）のジョイントブロック２Ｂは、その上半部（１／２高さ位置より上方部分）を中央穴１６（又は合体穴１０Ａ）の下半部空所１６ｂと同形・同大きさの小形嵌合部２ａとし、下半部を中央穴１６（又は合体穴１０Ａ）の上半部空所１６ａと同形・同大きさの大形嵌合部２ｂとしている。
【０１０５】
この第４実施例の花壇用ブロックセット（本体ブロック１Ｍとジョイントブロック２Ｂ）は、図２５に示すように、コーナー用の本体ブロック１Ｎや最上段に使用される各本体ブロック１Ｇ′，１Ｈ′等を併用して花壇を構築するが、コーナー用本体ブロック１Ｎにおける側部凹部（図１２の符号１２Ｂ部分）、及び最上段用各本体ブロック１Ｇ′１Ｈ′における端部凹部（図１３、図１４の符号１２Ｃ部分）と中央凹部（図１３、図１４の符号１６Ａ部分）と側部凹部（図１４の符号１２Ｄ部分）として、それぞれ図２４の段付きジョイントブロック２Ｂに対応した形状・大きさに形成される。
【０１０６】
そして、この第４実施例の花壇用ブロックセットを使用して花壇を構築する場合は、図２５に示すように１段目の本体ブロック１Ｍ，１Ｍ・・（及び１Ｎ）を組付けた後、まず各本体ブロックの各端部凹溝１２Ａ，１２Ａ（又は端部凹溝１２Ａと側部凹溝１２Ｂ）で合成された合体穴１０Ａ（又は１０Ｂ）及び各中央穴１６内に、それぞれ上方からジョイントブロック２Ｂの下半部（大形嵌合部）２ｂを落とし込んで、該ジョイントブロック２Ｂの下面を合体穴１０Ａの段部１２ｃ，１２ｃ上又は中央穴１６の段部１６ｃ上に着座させる。このとき１段目ブロック群の上面から各ジョイントブロック２Ｂの上半部（小形嵌合部２ａ）が上方に突出している。
【０１０７】
次に、１段目ブロック群の上面から上方に突出している各ジョイントブロック２Ｂの上半部２ａに、２段目の各本体ブロック１Ｍ，１Ｍ・・（及び１Ｎ）を、１段目ブロック群の各本体ブロックに対して本体ブロック長手方向の１／２長さだけずらせた位置において、各本体ブロック１Ｍ（及び１Ｎ）の端部凹溝１２Ａ及び中央穴１６の各下半部空所（１２ｂ，１６ｂ）を嵌合させて２段目ブロック群を連結する。
【０１０８】
以下、上記第２実施例又は第３実施例と同様に、２段目ブロック群の各合体穴と各中央穴内にそれぞれジョイントブロック２Ｂの下半部（大形嵌合部２ｂ）を嵌入させた後、３段目（最上段）の本体ブロックを積み上げて、所定段数（３段積み）の花壇を構築する。尚、この図２５に示す花壇も、上下に位置する各本体ブロックが千鳥積み状態で組付けられている。
【０１０９】
この第４実施例の花壇用ブロックセットでは、本体ブロック１Ｍの端部凹溝１２Ａ及び中央穴１６を、１／２高さ位置において単に段部１２ｃ，１６ｃ（上半部１２ａ，１６ａが大径空所で下半部１２ｂ，１６ｂが小径空所）としているので、第１及び第２の各実施例のように内向き棚部１５とする場合より、成形時の型抜きが容易となるとともに、該段部が欠落しにくくなるという機能がある。
【０１１０】
又、この第４実施例（図２４）の花壇用ブロックセットの構成のうち、本体ブロック１Ｍの各端部凹溝１２Ａ，１２Ａの構造（上半部空所１２ａを大きくし、下半部空所１２ｂを小さくした段付き端部凹溝の構造）は、上記第１実施例（図１）の本体ブロック１Ａの各端部凹溝１２Ａ，１２Ａに適用することができる。その場合、第１実施例（図１）のジョイントブロック２も図２４のジョイントブロック２Ｂを適用する。
【０１１１】
尚、上記各実施例では、花壇用ブロックセットの本体ブロックにおいて、端部凹溝１２Ａとジョイントブロック２の嵌合部２１との嵌合形態をテーパー面による抜け止め構造としているが、他の実施例では、該嵌合形態として、本体ブロックとジョイントブロックとが左右方向に分離不能に嵌合するものであれば適宜の形状のものを採用できる。
【図面の簡単な説明】
【０１１２】
【図１】本願第１実施例の花壇用ブロックセットの斜視図である。
【図２】図１の花壇用ブロックセットの平面図である。
【図３】図２のIII−III断面図である。
【図４】図１の花壇用ブロックセットに併用される別の本体ブロックの斜視図である。
【図５】図１の花壇用ブロックセットに併用される別の本体ブロックの斜視図である。
【図６】図１の花壇用ブロックセットに併用される別の本体ブロックの斜視図である。
【図７】図１、図４〜図６の各ブロックを使用して構築した花壇の斜視図である。
【図８】図７のＶIII−ＶIII拡大断面図である。
【図９】本願第２実施例の花壇用ブロックセットの斜視図である。
【図１０】図９の花壇用ブロックセットの平面図である。
【図１１】図１０のＸＩ−ＸＩ断面図である。
【図１２】図９の花壇用ブロックセットに併用される別の本体ブロックの斜視図である。
【図１３】図９の花壇用ブロックセットに併用される別の本体ブロックの斜視図である。
【図１４】図９の花壇用ブロックセットに併用される別の本体ブロックの斜視図である。
【図１５】図９、図１２〜図１４の各ブロックを使用して構築した花壇の斜視図である。
【図１６】図１５のＸVI−ＸVI拡大断面図である。
【図１７】図１５の花壇の各段のブロック群の平面図である。
【図１８】図９、図１２〜図１４の各ブロックを使用して構築した別の形状の花壇の一部断面図（図１６相当図）である。
【図１９】図９、図１２〜図１４、図２０〜図２１の各ブロックを使用して構築した別の形状の花壇の斜視図である。
【図２０】図１９の花壇に使用されている別の本体ブロックの斜視図である。
【図２１】図１９の花壇に使用されている別の本体ブロックの斜視図である。
【図２２】本願第３実施例の花壇用ブロックセットの斜視図である。
【図２３】図２２、図１２〜図１４の各ブロックを使用して構築した花壇の一部断面図（図１６相当図）である。
【図２４】本願第４実施例の花壇用ブロックセットの斜視図である。
【図２５】図２４の花壇用ブロックセットを使用して構築した花壇の一部断面図（図１６相当図）である。
【符号の説明】
【０１１３】
１Ａ〜１Ｎは本体ブロック、２，２Ｂはジョイントブロック、２ａは上半部、２ｂは下半部、３Ａ〜３Ｆはブロック群、１０Ａ〜１０Ｄは合体穴、１１は端面、１２Ａは端部凹溝、１２ａは上半部、１２ｂは下半部、１２ｃは段部、１３は入口部、１４は奥端部、１５は棚部、１６は中央穴、１６ａは上半部、１６ｂは下半部、１６ｃは段部、２１は嵌合部である。
【図１】
2008048693.tif 000003
【図２】
2008048693.tif 000004
【図３】
2008048693.tif 000005
【図４】
2008048693.tif 000006
【図５】
2008048693.tif 000007
【図６】
2008048693.tif 000008
【図７】
2008048693.tif 000009
【図８】
2008048693.tif 000010
【図９】
2008048693.tif 000011
【図１０】
2008048693.tif 000012
【図１１】
2008048693.tif 000013
【図１２】
2008048693.tif 000014
【図１３】
2008048693.tif 000015
【図１４】
2008048693.tif 000016
【図１５】
2008048693.tif 000017
【図１６】
2008048693.tif 000018
【図１７】
2008048693.tif 000019
【図１８】
2008048693.tif 000020
【図１９】
2008048693.tif 000021
【図２０】
2008048693.tif 000022
【図２１】
2008048693.tif 000023
【図２２】
2008048693.tif 000024
【図２３】
2008048693.tif 000025
【図２４】
2008048693.tif 000026
【図２５】
2008048693.tif 000027